(57)【要約】      （修正有）【課題】簡単な操作で、環境に優しい試薬を用いて、水中の塩化物イオンを効果的に除去できる方法を提供する。【解決手段】塩化物を含有する水中に酸化剤を添加し、上記酸化剤を、強酸性のヒドロキシルラジカル又は硫酸ラジカルを生成するように活性化させる。その後、有機物又は有機物を含有する水を添加して、活性塩素を上記有機物と反応させて有機塩素を形成する。無機塩化物を有機塩素に変換することにより、有機塩素を通常の処理方法により除去することにより、塩化物の含有量が高い水の治水工事が困難であるという課題を解決することができる。【選択図】図１
2020124701.tif 000002
【特許請求の範囲】
【請求項１】
促進酸化処理において生成した強酸性のヒドロキシルラジカル又は硫酸ラジカルを利用して、塩化物イオンを酸化して活性塩素を形成するステップと、有機物又は有機物を含有する水を添加して、活性塩素を前記有機物と反応させて有機塩素を形成するステップと、化学的沈殿、ろ過、空気浮上、及び吸着から選択される方法により前記有機塩素を除去するステップを含むことを特徴とする、水中の塩化物を除去する方法。
【請求項２】
塩化物を含有する水中に酸化剤を添加し、前記酸化剤を、強酸性のヒドロキシルラジカル又は硫酸ラジカルを生成するように活性化させるステップを含むことを特徴とする、請求項１に記載の水中の塩化物を除去する方法。
【請求項３】
前記酸化剤と塩化物のモル比が１：１０〜１０：１の範囲であることを特徴とする、請求項２に記載の水中の塩化物を除去する方法。
【請求項４】
前記有機物中の有機炭素と塩化物のモル比が１：１〜１００：１の範囲であることを特徴とする、請求項２に記載の水中の塩化物を除去する方法。
【請求項５】
前記活性塩素と有機物との反応時間が１時間〜１２時間であることを特徴とする、請求項２に記載の水中の塩化物を除去する方法。
【請求項６】
前記酸化剤は、過酸化水素、過硫酸塩又はモノ過硫酸塩を含むことを特徴とする、請求項２に記載の水中の塩化物を除去する方法。
【請求項７】
原水中の塩化物濃度が１００〜２００００ｍｇ／Ｌであることを特徴とする、請求項２に記載の水中の塩化物を除去する方法。
【請求項８】
処理水のｐＨが３〜１０であることを特徴とする、請求項２に記載の水中の塩化物を除去する方法。
【請求項９】
前記酸化剤が過酸化水素で、酸化剤と塩化物とのモル比が１：１０〜１０：１の範囲で、原水中の有機物の濃度が１〜５ｍｇ／Ｌであり、前記酸化剤を、強酸性のヒドロキシルラジカル又は硫酸ラジカルを生成するように活性化させるステップでは、紫外線照射強度が１〜１０００μＷ／ｃｍ２で１分〜１００分反応させる、又は、金属イオンを投入して反応させることにより過酸化水素を活性化させて強酸性のヒドロキシルラジカルを生成し、前記有機物の有機炭素と塩化物のモル比が１：１〜１００：１で、得られた活性塩素と有機物との反応時間は１時間〜１２時間であることを特徴とする、請求項２に記載の水中の塩化物を除去する方法。
【請求項１０】
前記有機物は、フミン酸、アミノ酸及びタンパク質から選択される少なくとも１種を含むことを特徴とする請求項２に記載の水中の塩化物を除去する方法。
【発明の詳細な説明】
【技術分野】
【０００１】
本発明は、水処理技術の分野に属し、水中の高濃度塩化物を除去する方法に関し、特に促進酸化処理（Advanced Oxidation Process：ＡＯＰ）による、水中の高濃度塩化物を除去する技術に関する。
【背景技術】
【０００２】
促進酸化処理の種類は非常に多く、応用範囲も非常に広い。ＵＶ／過酸化水素（ＵＶ／Ｈ２Ｏ２）は典型的な促進酸化処理技術である。Ｈ２Ｏ２は、ＵＶ光の照射の下、光エネルギーを吸収して、Ｏ−Ｏ結合が切断され、強酸性のヒドロキシルラジカル（・ＯＨ）を生成するが、その酸化還元電位は２．８Ｖである。・ＯＨは、有機物との反応は選択的ではなく、有機汚染物を二酸化炭素、水及び鉱物塩に酸化することができる。ほとんどの有機物と反応するときの速度定数は１０６〜１０１０Ｌ／（ｍｏｌ・ｓ）の範囲であり、反応速度が速い。ＵＶ／Ｈ２Ｏ２が有機物を酸化する反応は、ＵＶ光による直接酸化、Ｈ２Ｏ２又は・ＯＨによる酸化である。・ＯＨの有機物に対する酸化作用は、脱水素反応、求電子付加反応及び電子移動という３段階に分けて行われる。ここで、最も重要なのは脱水素反応である。
【０００３】
図１は、ＵＶ／Ｈ２Ｏ２促進酸化処理技術において、紫外線により過酸化水素を光分解して高い酸化力のヒドロキシルラジカルが大量に生成した状態を示す概略図である。
【０００４】
ＵＶ／Ｈ２Ｏ２促進酸化処理では、汚染物を効果的に分解することができ、飲料水の高度処理等広い範囲で利用できる可能性がある。
【０００５】
塩化物（即ち、塩化物イオン）は、ナトリウム、カルシウム及びマグネシウム塩等の形態で自然水中に広く存在する。具体的には、塩化ナトリウム、塩化カルシウム、塩化マグネシウム等である。ほぼ全ての表流水中に塩化物は存在するが、その含有量は大きく異なる。川水中の塩化物濃度は通常数ミリグラム／リットルであるが、海水中の塩化物（即ち、塩化物イオン［Ｃｌ−］）の含有量は１９０００ｍｇ／Ｌと高い。海水が飲料水源に侵入して水源水の塩化物濃度が基準値を超えた場合、あるいは塩化物の含有量が高い水を直接飲料水源とした場合、塩化物に対して何らかの処理を行うことが必要となる。高濃度塩化物は、化学的沈殿、ろ過、空気浮上、吸着等通常のプロセスによって除去することはできない。コストが高くて操作が繁雑な逆浸透プロセスでは、ある程度塩化物を除去できるが、コストが高くなるため、応用範囲が制限される。そのため、環境に優しく、コスト調整が可能で、安全かつ有効な高濃度塩化物処理技術が求められている。
【発明の概要】
【０００６】
上記従来技術の課題に対して、本発明の目的は、水中の塩化物、特に高濃度塩化物を除去する方法を提供することである。特に、促進酸化処理により水中の高濃度塩化物を除去する方法を提供することを目的とする。
【０００７】
本発明では、無機塩化物イオンを、化学的沈殿、ろ過、空気浮上、吸着等の通常のプロセスによってより除去しやすい有機塩素に変換することにより、塩化物を間接に除去するという目的を達成することができる。その原理は、促進酸化処理において生成した強酸性のヒドロキシルラジカル又は硫酸ラジカル（図１）を利用して、塩化物イオンを酸化して活性塩素（例えば、塩素ラジカル等，図２）を生成することである。さらに、フミン酸等の有機物又は有機物を含有する水を添加して、活性塩素をこれらの有機物と反応させて有機塩素を形成する（図３）。ここで、有機物量と被処理水中の塩化物イオンの含有量が一定の割合となるように、有機物の添加量を調整する。有機塩素は、化学的沈殿、ろ過、空気浮上、吸着等の通常のプロセス、あるいは経済コストが低いその他の方法によって除去することができる。
【０００８】
具体的な方法は以下の通りである。
高濃度塩化物に過酸化水素（Ｈ２Ｏ２）を添加する。過酸化水素の他、過硫酸塩、モノ過硫酸塩等の酸化剤、及び上述した酸化剤を各種の金属イオンと組み合わせて形成した複合試薬等を用いることもできるが、ここでは、過酸化水素を例として説明する。投入するＨ２Ｏ２溶液の量は、塩化物の濃度に応じて確定する。紫外線を照射して、一定時間反応させて過酸化水素をヒドロキシルラジカルに変換する。紫外線照射に加えて、鉄、マンガン等の金属イオンを添加する方法等によっても過酸化水素等の酸化剤を活性化させて高い酸性のヒドロキシルラジカル又は硫酸ラジカル等を生成することができる。フミン酸等の有機物を添加して、一定時間反応させる。なお、有機物は、フミン酸に限られず、アミノ酸、タンパク質及びこれら有機物を含有する水から選択される少なくとも１種を含むものであればよい。
原水中の塩化物濃度が１００〜２００００ｍｇ／Ｌであることが好ましい。
Ｈ２Ｏ２と塩化物のモル比は、１：１０〜１０：１の範囲に制御することが好ましい。さらに、過酸化水素の代わりに、過硫酸塩、モノ過硫酸塩等の酸化剤、及び上述した酸化剤を各種の金属イオンと組み合わせて形成した複合試薬等を使用することも可能である。含有する酸化剤成分（過酸化水素、過硫酸塩又はモノ過硫酸塩）と塩化物とのモル比を１：１０〜１０：１の範囲に制御すればよい。
投入後の原水中の有機物の濃度（有機炭素含有量）は１〜５ｍｇ／Ｌであることが好ましい。
遮光反応の温度が２０±２℃であることが好ましい。
紫外線を照射して反応させる時間は１〜１００分間であることが好ましい。
紫外線照射強度は１〜１０００μＷ／ｃｍ２に調整することが好ましい。
フミン酸の有機炭素と塩化物のモル比は１：１〜１００：１の範囲であることが好ましい。また、有機物はフミン酸に限られず、アミノ酸、タンパク質及びこれら有機物を含有する水のいずれであってもよく、これら有機物中の有機炭素と塩化物のモル比は１：１〜１００：１の範囲であることが好ましい。
フミン酸又はその他の有機物との反応時間は１時間〜１２時間であることが好ましい。
【０００９】
本発明では、以下の有益な効果を有する。
塩化物（即ち、塩化物イオン）は、化学的沈殿、ろ過、空気浮上、吸着等の比較的低コストの通常の処理によって除去されにくいが、本発明では、無機塩化物イオンを有機塩素に変換することにより、通常の処理によって容易に除去することができる。
本発明において投入する試薬は、環境に優しく、逆浸透等の塩化物除去技術に比べてコスト低減が可能である。また、逆浸透濃縮廃水を生成することなく、操作しやすい等の特徴を有する。
反応条件が穏やかであり、適用範囲が広い。本発明の促進酸化処理による塩化物イオン除去反応が適用可能なｐＨは３〜１０であり、反応条件が穏やかである。一般の自然水のｐＨは中性又は弱アルカリ性であり、浄水場で実際に前処理を実施する際に、ｐＨを調節する必要がなく、労働力、物資、資金を節約することができる。
【図面の簡単な説明】
【００１０】
【図１】ＵＶ／Ｈ２Ｏ２を例とした促進酸化処理の概略図である。
【図２】強酸性のヒドロキシルラジカルで塩化物を活性塩素に変換する反応を示す概略図である。
【図３】活性塩素と有機物とを反応させて有機塩素を形成する反応を示す概略図である。
【発明を実施するための形態】
【００１１】
以下、図面及び実施例を参照しながら本発明をさらに詳細に説明する。
【００１２】
本発明では、無機塩化物イオンを、化学的沈殿、ろ過、空気浮上、吸着等の通常の処理によって除去されやすい有機塩素に変換することにより、無機塩化物の間接除去を実現する。その原理は、以下のとおりである。促進酸化処理において生成した強酸性のヒドロキシルラジカル又は硫酸ラジカル(図１を参照)を利用して、塩化物イオンを酸化して活性塩素(例えば、塩素ラジカル等，図２を参照)を生成する。さらに、フミン酸等の有機物又は有機物を含有する水を添加し、活性塩素を有機物と反応させて有機塩素を形成する(図３を参照)。ここで、有機物量と被処理水中の塩化物イオンの含有量が一定の割合となるように、有機物の添加量を調整する。有機塩素は、化学的沈殿、ろ過、空気浮上、吸着等の通常の処理、あるいはその他の低コストの方法で除去することができる。
【００１３】
本発明に係る促進酸化処理による、高濃度塩化物の除去方法は、下記のステップを含む。
高濃度塩化物中に過酸化水素（Ｈ２Ｏ２）を添加する。過酸化水素の他、過硫酸塩、モノ過硫酸塩等の酸化剤、及び上述した酸化剤を各種の金属イオンと組み合わせて形成した複合試薬等を用いることもできるが、以下、過酸化水素を例として説明する。投入するＨ２Ｏ２溶液の量は、塩化物の濃度に応じて、Ｈ２Ｏ２と塩化物のモル比が１：１０〜１０：１の範囲となるように調整する。紫外線照射下で１〜１００分間反応させる。ここで、紫外線照射強度は１〜１０００μＷ／ｃｍ２に制御する。これにより過酸化水素をヒドロキシルラジカルに変換することができる。紫外線照射に加えて、鉄、マンガン等の金属イオンを投入する等の方法によっても過酸化水素等の酸化剤を活性化させることができる。次に、フミン酸等の有機物を添加して、１時間〜１２時間反応させる。ここで、フミン酸と塩化物のモル比は１：１〜１００：１の範囲とする。上記の処理方法によって無機塩化物を有機塩素に変換することにより、通常の処理により有機塩素として塩素を除去する。なお、通常の処理方法としては、凝集沈殿、ろ過、空気浮上、吸着等を含むが、これらに限られない。
【００１４】
上記原水中の塩化物濃度は１００〜２００００ｍｇ／Ｌである。
【００１５】
過硫酸塩、モノ過硫酸塩等の酸化剤、及び上述した酸化剤各種の金属イオンと組み合わせて形成した複合試薬等のいずれも過酸化水素と代替することができる。これら中の酸化剤成分（過酸化水素、過硫酸塩又はモノ過硫酸塩）と塩化物とのモル比は１：１０〜１０：１の範囲に制御すればよい。
【００１６】
添加する有機物は、フミン酸に限られず、アミノ酸、タンパク質及びこれら有機物を含有する水から選択される少なくとも１種であってもよい。これら有機物中の有機炭素量と塩化物のモル比を１：１〜１００：１の範囲に制御すればよい。
【００１７】
本発明の基本原理は、下記の化学式で表される。
Ｈ２Ｏ＋Ｈ２Ｏ２＋紫外線＝・ＯＨ（ヒドロキシラジカル）    （１）
・ＯＨ＋塩化物＝活性塩素                （２）
活性塩素＋フミン酸＝有機塩素           （３）
【００１８】
本発明の促進酸化処理による水中の高濃度塩化物を除去する基本原理は、化学式（１）、（２）及び（３）で示すように、促進酸化処理において生成したヒドロキシルラジカルにより、塩化物イオンを酸化して活性塩素（例えば、塩素ラジカル、次亜塩素酸塩等）を生成することである。さらに、フミン酸又は有機物を含有する水を添加し、活性塩素と有機物とを反応させて有機塩化物を形成する。ここで、有機物量と被処理水中の塩化物イオンの含有量が一定の割合となるように、有機物の添加量を調整する。生成した有機塩化物は、無機塩化物イオンよりも除去されやすく、凝集沈殿又はその他の低コストの方法で有機塩化物を除去することができる。
【００１９】
以下、実施例を参照しながら本発明をさらに説明する。
【実施例１】
【００２０】
本実施例に係る促進酸化処理により水中の高濃度塩化物を除去する方法は、下記のステップを含む。
濃度が２００ｍｇ／Ｌの塩化物イオンを含有するサンプル水中に、異なる濃度（１〜２０ｍＭ）のＨ２Ｏ２溶液を添加した。紫外線強度による影響を確認するため、１００〜５００μＷ／ｃｍ２の範囲で複数強度の紫外線を照射して、１時間反応させた。反応後の溶液を４０ｍＬ取り、２０〜２００ｍｇ／Ｌの範囲でフミン酸量を変えて添加し、直ちにポリテトラフルオロエチレンガスケット付きのねじキャップで密封し、十分に混合した後、サーモスタット内で保存して２４時間遮光反応させた。その後、サンプル水中のハロゲン化水素の含有量を測定した。実験結果を分析し、比較することにより、最適な条件を確定し、その変換率を求めた。
【実施例２】
【００２１】
濃度が１５０ｍｇ／Ｌの塩化物イオンを含有するサンプル水中に、異なる濃度（１〜２０ｍＭ）の硫酸ナトリウム（Ｎａ２Ｓ２Ｏ８）溶液を添加した。紫外線強度による影響を確認するため、１００〜５００μＷ／ｃｍ２の範囲で複数強度の紫外線を照射して、１時間反応させた。反応後の溶液を４０ｍＬ取り、２０〜２００ｍｇ／Ｌの範囲でフミン酸量を変えてを添加し、直ちにポリテトラフルオロエチレンガスケット付きのねじキャップで密封し、十分に混合した後、サーモスタット内で保存して２４ｈ遮光反応させた。その後、サンプル水中のハロゲン化水素の含有量を測定した。実験結果を分析し、比較することにより、最適な条件を確定し、その変換率を求めた。
【実施例３】
【００２２】
濃度が２５０ｍｇ／Ｌの塩化物イオンを含有するサンプル水中に、異なる濃度（１〜２０ｍＭ）の一過硫酸水素カリウム（２ＫＨＳＯ５・ＫＨＳＯ４・Ｋ２ＳＯ４）溶液を添加した。紫外線強度による影響を確認するため、１００〜５００μＷ／ｃｍ２の範囲で複数強度の紫外線を照射して、１時間反応させた。反応後の溶液を４０ｍＬ取り、２０〜２００ｍｇ／Ｌの範囲でフミン酸量を変えて添加し、直ちにポリテトラフルオロエチレンガスケット付きのねじキャップで密封し、十分に混合した後、サーモスタット内で保存して２４ｈ遮光反応させた。その後、サンプル水中のハロゲン化水素の含有量を測定した。実験結果を分析し、比較することにより、最適な条件を確定し、その変換率を求めた。
【００２３】
上述した実施例のサンプルに対して２４時間後に有機ハロゲン含有量をＴＯＸ装置によって測定した。
2020124701.tif 000003
【００２４】
表１から、本発明の促進酸化処理による高濃度塩化物イオンを除去する方法では、原水中の塩化物イオンの濃度を効果的に低下させることができることがわかった。具体的には、除去率は、４６．７〜５１．２％であった。
【産業上の利用可能性】
【００２５】
上記実施例の説明は、当業者が本発明を理解するためのものである。当業者であれば、当然、容易に、これらの実施例に対して様々な変更を行い、ここで説明している一般原理をその他の実施例に適用することができる。したがって、本発明は上述した実施例に限定されるものではない。当業者が本発明の原理に基づいて本発明の趣旨から逸脱することなく行った改善及び変更はいずれも本発明の保護範囲である。
【図１】
2020124701.tif 000004
【図２】
2020124701.tif 000005
【図３】
2020124701.tif 000006